(57)【特許請求の範囲】
【請求項１】
カーラーが取り付けられる作動部と、
減速装置により前記作動部を回転させる駆動装置と、
前記駆動装置を制御する回路基板と、
前記回路基板と接続され、前記回路基板が前記駆動装置を制御して前記作動部を選択的に第１の方向で回転させるか、反対方向の第２の方向で回転させるか、回転を止める制御部と、
前記作動部と接続され、前記作動部が受ける第１の方向のトルク値を検出し、前記検出したトルク値を前記回路基板へフィードバックするトルク検出装置と、
前記トルク検出装置と接続され、前記トルク検出装置が検出したトルク値を表示するトルク表示装置と、
前記回路基板と接続されて所定のトルク値を設定するトルク設定部と、
カーラーと、
位置決め部材と、を含み、
前記トルク検出装置により検出した第１の方向のトルク値が所定のトルク値まで上昇すると、前記回路基板が前記トルク値を受けとり、前記回路基板が前記駆動装置を自動的に制御し、前記作動部の第１の方向の回転を止め、
前記カーラーは、前記作動部に同軸に取付けられ、複数のケーシング片及び押圧部材を含み、
前記複数のケーシング片は、軸方向で順次設置され、
前記複数のケーシング片の内壁によって錘状空間が形成され、
前記押圧部材は、前記錘状空間に位置して前記作動部と連動し、
前記作動部が第１の方向で回転すると、前記押圧部材が前記錘状空間中で軸方向に移動し、前記複数のケーシング片が互いに離れて前記カーラーの外径が拡張され、
前記作動部が第２の方向で回転すると、前記押圧部材が反対方向へ移動し、前記ケーシング片が互いに近づいて前記カーラーの外径が縮小し、
前記カーラーは、少なくとも１つの弾性要素を含み、
前記複数のケーシング片は、前記弾性要素により互いに近づけられ、
前記カーラーにおける前記作動部と離れた一端が、前記位置決め部材によって着脱可能に位置決めされることにより、前記押圧部材が前記錘状空間中で軸方向に移動する際に、前記カーラーが回転することを防ぐことを特徴とする、
トルクが調整可能な毛髪巻き付け具。
【請求項２】
前記トルク設定部は、設定ボタン及び表示装置を含み、前記設定ボタンが押されると所定のトルク値が変更され、設定されている現在の所定のトルク値が前記表示装置に表示されることを特徴とする請求項１に記載のトルクが調整可能な毛髪巻き付け具。
【請求項３】
前記トルク表示装置は、複数のＬＥＤ光源を含み、点灯する前記ＬＥＤ光源の数は、前記トルク検出装置が検出したトルク値に比例することを特徴とする請求項１に記載のトルクが調整可能な毛髪巻き付け具。
【請求項４】
前記作動部の回転数は固定値であることを特徴とする請求項１に記載のトルクが調整可能な毛髪巻き付け具。
【請求項５】
前記弾性要素は、少なくとも１つの弾性リングであり、前記複数のケーシング片の外表面には、前記弾性リングが嵌着される環溝が形成され、前記複数のケーシング片は、前記弾性リングにより互いに近づけられることを特徴とする請求項１に記載のトルクが調整可能な毛髪巻き付け具。
【請求項６】
外スリーブ部材をさらに含み、前記外スリーブ部材は、互いに枢着する２つの挟持片を含み、前記２つの挟持片が互いに枢着する箇所の一端には、切欠きが形成され、前記挟持片は、円弧状を呈し、前記２つの挟持片が枢着する隣り合う箇所には、調整ブロックが着脱可能に設けられ、前記調整ブロックを取り外すと、前記２つの挟持片が外方へ大きめの角度で揺動して切欠き幅の最大値が大きくなり、前記調整ブロックが長くなるに伴い、前記２つの挟持片が外方へ揺動しなくなって前記切欠き幅の最大値が小さくなり、前記外スリーブ部材が前記カーラーに外嵌されることを特徴とする請求項１に記載のトルクが調整可能な毛髪巻き付け具。
【請求項７】
前記制御部は、片切スイッチを含み、前記片切スイッチの両端には、正回転スイッチ部及び逆回転スイッチ部がそれぞれ設けられ、前記片切スイッチを長押しすると、トルクが調整可能な毛髪巻き付け具の電源がオンし、前記正回転スイッチ部がプッシュ操作され、前記逆回転スイッチ部が押されないとき、前記トルク検出装置が検出したトルクが所定のトルク値に達するまで前記作動部が第１の方向で回転され、前記逆回転スイッチ部が押され続けて前記正回転スイッチ部が押されないとき、前記作動部が第２の方向で回転することを特徴とする請求項１に記載のトルクが調整可能な毛髪巻き付け具。
【発明の詳細な説明】
【技術分野】
【０００１】
本発明は、毛髪巻き付け具に関し、特に、受ける最大のトルク値を調整することが可能な毛髪巻き付け具に関する。
【背景技術】
【０００２】
公知のパーマ技術は、一般に頭髪に薬剤を施して処理した後、カーラーに巻き付けて放置するか加熱する方式により形を整える。例えば、台湾実用新案登録第Ｍ３７４７７４号公報で開示されている張力が調整可能なカーラーは、プレートの開閉により巻き付ける頭髪に張力を与え、髪質の違いに応じて頭髪の張り程度を変える。
しかし、何度もパーマされたり染められて弱く傷んでいる頭髪の場合、過大な張力を受けて頭髪が傷み、最悪の場合には切れてしまう虞があった。反対に、髪質が健康な頭髪又は太くて硬い頭髪の場合、大きめの張力を加えなければならないため、美容室の業者は、頭髪状態を判断して感覚的に張力を加えるが、それには仕事の経験が豊富でなければならず、経験が十分でない者、又は、不注意により取り返しのつかない結果を招くことがあり、不便であった。
【０００３】
これに対して本発明の出願人は、例えば、台湾特許第Ｉ３６５０５５号公報のトルク値を表示する毛髪巻き付け具を既に出願し、これには回転工具が含まれる。この回転工具は、カーラーに接続され、工具の回転に伴い回転する。カーラーのプレートは、互いに離れたり近づいたりして、拡張又は縮小する効果を得る。巻き付ける頭髪がフィードバックするトルクの大きさを検出して表示して使用者が参考にできるようにし、頭髪が張り過ぎにより傷むことを防ぐ、トルク検出装置及びトルク表示装置をさらに含む。
しかし、このような構造は、使用者に現在のトルクを知らせることしかできないため、使用者は自らタイミングを判断して手動で回転工具をオフする必要があった。即ち、一時的な不注意により張り過ぎることを防ぐことが困難であるため、使用者は依然としてトルク値に注意を払い、スイッチのオンオフを自ら判断して行う必要があり不便である上、このような構造では、美容の業者又は専門家しか使用することができず、経験が無い一般の消費者は自ら操作することができなかった。
【発明の概要】
【発明が解決しようとする課題】
【０００４】
本発明の主な目的は、受ける最大のトルク値を設定し、使用者に毛髪を巻き付ける力を提供する、トルクが調整可能な毛髪巻き付け具を提供することにある。
【課題を解決するための手段】
【０００５】
上述の目的を達成するために、本発明が提供するトルクが調整可能な毛髪巻き付け具は、作動部、駆動装置、回路基板、制御部、トルク検出装置、トルク表示装置及びトルク設定部を含む。
【０００６】
作動部には、カーラーが取り付けられる。駆動装置は、減速装置により作動部を回転させる。回路基板は、駆動装置を制御する。制御部は、回路基板と接続され、回路基板が駆動装置を制御して作動部を選択的に第１の方向で回転させるか、反対方向の第２の方向で回転させるか、回転を止める。トルク検出装置は、作動部と接続され、作動部が受ける第１の方向のトルク値を検出し、検出したトルク値を回路基板へフィードバックする。トルク表示装置は、トルク検出装置と接続され、トルク検出装置が検出したトルク値を表示する。トルク設定部は、回路基板と接続されて所定のトルク値を設定する。トルク検出装置により検出した第１の方向のトルク値が所定のトルク値まで上昇すると、回路基板がトルク値を受けとり、回路基板が駆動装置を自動的に制御し、作動部の第１の方向の回転を止める。
【発明の効果】
【０００７】
上述の構造により、使用者は頭髪の状態に応じ、まず、トルク設定部により所定のトルク値を設定してから、制御部をオンする。すると、作動部が第１の方向で回転し、作動部の回転に伴って作動部に取り付けられたカーラーが回転して拡張し、カーラーに巻き付けられた頭髪が強く巻き付けられ、巻き付けられた頭髪が作動部へトルクをフィードバックし、巻き数が増えるに伴い、トルクも漸増し、このトルクが所定のトルク値に達すると、回路基板が作動部の回転を自動的に停めて作動部が受けるトルクが所定のトルク値を超えないようにし、受けるトルクが頭髪が耐えうる負荷を超えて頭髪が傷んだり、最悪の場合に切れたりすることを防ぐ。
【図面の簡単な説明】
【０００８】
【図１】本発明の斜視図である。
【図２】本発明の分解斜視図である。
【図３】本発明の使用図である。
【図４】本発明の部分断面図である。
【図５】本発明のカーラー及び外スリーブ部材の分解斜視図である。
【図６】本発明のカーラー及び外スリーブ部材の断面図である。
【発明を実施するための形態】
【０００９】
以下、実施例により本発明の実施可能な例を説明するが、本発明が保護する範囲を何ら制限するものではない。
【００１０】
図１〜図６に示すように、本発明が提供するトルクが調整可能な毛髪巻き付け具は、作動部１、駆動装置２、回路基板３、制御部４、トルク検出装置、トルク表示装置５、トルク設定部６、カーラー７及び外スリーブ部材８を含む。
【００１１】
作動部１、駆動装置２、回路基板３、制御部４、トルク検出装置、トルク表示装置５及びトルク設定部６は、ハウジング中に収容される。作動部１には、カーラー７が取り付けられ、本発明の主な実施例において、作動部１は、六角孔を有する。カーラー７は、六角孔に係合可能な六角柱を有する。作動部１は、カーラー７を駆動する。作動部１は均一な速度で回転する。
駆動装置２は、減速装置により作動部１を回転させる。本発明の主な実施例において、駆動装置２は、モータと、駆動装置２の動作を制御する回路基板３と、回路基板３と接続し、回路基板３により駆動装置２を制御して作動部１を選択的に第１の方向で回転させるか、反対方向の第２の方向で回転させるか、回転を止める制御部４と、を含む。
本発明の主な実施例において、制御部４は片切スイッチ４１を含む。片切スイッチ４１の両端には、正回転スイッチ部４１１及び逆回転スイッチ部４１２がそれぞれ設けられる。片切スイッチ４１を長押しすると、トルクが調整可能な毛髪巻き付け具の電源がオンし、正回転スイッチ部４１１がプッシュ操作されるが、逆回転スイッチ部４１２が押されないとき、作動部１が第１の方向で回転し、逆回転スイッチ部４１２が押され続けて正回転スイッチ部４１１が押されないときに、作動部１が第２の方向で回転する。
【００１２】
トルク検出装置は、作動部１と接続され、作動部１が受ける第１の方向のトルク値を検出し、検出したトルク値を回路基板３へフィードバックする。トルク表示装置５は、トルク検出装置と接続され、トルク検出装置が検出したトルク値を表示する。本発明の主な実施例において、トルク表示装置５は、複数のＬＥＤ光源５１を含む。点灯するＬＥＤ光源５１の数は、トルク検出装置が検出したトルク値に比例するため、ＬＥＤ光源５１が点灯する数に基づいて現在のトルク値を判別することができる。しかし、トルク表示装置は、例えばＬＣＤ表示スクリーン等その他表示手段であっても何等差し支えない。
トルク設定部６は、回路基板３と接続されて所定のトルク値を設定する。回路基板３は、トルク検出装置６が検出した第１の方向のトルク値が所定のトルク値まで上昇する。回路基板３は、駆動装置２を自動制御し、作動部１が第１の方向で回転することを止める。本発明の主な実施例において、トルク設定部６は、設定ボタン６１及び表示装置６２を含む。設定ボタン６１が押されると所定のトルク値が変更され、設定されている現在の所定のトルク値が表示装置６２に表示される。表示装置６２は、ＬＣＤ表示スクリーンその他類似の装置であることが好ましい。
【００１３】
カーラー７は、頭髪が巻き付けられて、作動部１に同軸に取付けられる。カーラー７は、複数のケーシング片７１と、錘状を呈する押圧部材７２と、を含む。これら複数のケーシング片７１は、軸方向で順次設置される。これら複数のケーシング片７１の内壁には、凹溝がそれぞれ形成される。これら複数の凹溝には、錘状空間７１１が共同で形成される。押圧部材７２は、錘状空間７１１に位置するとともに、作動部１と連動する。より明確に述べると、押圧部材７２は、カーラー７の端部に螺着され、錘状空間７１１の内径は、作動部１に近い一端から作動部１から遠い一端へ向かって漸増する。
作動部１は、第１の方向で回転する。押圧部材７２は、作動部１に伴って同期で回転し、カーラー７に対して螺旋状に回転すると、押圧部材７２によりケーシング片７１を軸方向で移動させ、錘状空間７１１が設けられているため、移動する押圧部材７２によりこれら複数のケーシング片７１が互いに離され、カーラー７の外径が大きくなる。反対に、作動部１が第２の方向で回転されると、押圧部材７２が反対方向で軸方向に沿って移動し、これら複数のケーシング片７１が互いに近づき、カーラー７の外径が縮小する。
また、カーラー７は、少なくとも１つの弾性リング７３をさらに含むことが好ましい。これらケーシング片７１の外表面には、弾性リング７３を嵌着する環溝が形成される。弾性リング７３が環溝に嵌着されてこれらケーシング片７１が互いに近づくため、ケーシング片７１の張りと縮小の動作を都合良く行うことができる。
【００１４】
外スリーブ部材８は、互いに枢着された２つの挟持片８１を含む。２つの挟持片８１が互いに枢着する箇所の一端には、切欠きが形成される。各挟持片８１は、円弧状を呈する。２つの挟持片８１が枢着する隣り合う箇所には、調整ブロック８２が着脱可能に設けられる。調整ブロック８２を取り外すと、２つの挟持片８１が外方へ大きめの角度で揺動して切欠き幅の最大値が大きくなり、調整ブロック８２が長くなるに伴い、２つの挟持片８１が外方へ揺動しなくなって切欠き幅の最大値が小さくなり、外スリーブ部材８がカーラー７に外嵌される。
より明確に述べると、頭髪をカーラー７の外側に巻き付けてから、外スリーブ部材８をカーラー７に外嵌し、様々な寸法のカーラー８又は様々な厚さの頭髪に適合するように、調整ブロック８２を調整して外スリーブ部材８を張る張力の大きさを変化させる。言い換えると、調整ブロック８２は、挟持片８１を張る障害として用い、狭い挟持空間を維持する。反対に、調整ブロック８２を使用しないか、短めの調整ブロック８２を使用する場合、挟持片８１を張る障害が小さく、挟持空間が大きめとなるため、大きめのカーラー７を収容したり、カーラー７の張りを大きくしたりすることができる。
本発明の主な実施例において、２つの挟持片８１の枢着箇所付近には、互いに対応する凹溝がそれぞれ形成される。調整ブロック８２の両端は、２つの凹溝にそれぞれ係合し、調整ブロック８２が弾性を僅かに有する。
【００１５】
実際に使用する際、頭髪をカーラー７上に巻き付けた後に外スリーブ部材８により嵌合してから、作動部１をカーラー７に接続し、カーラー７の他端が位置決め部材９により固定されるため（例えば、多角柱をカーラーの多角孔へ係合する）、外スリーブ部材８を張ってもカーラー７がそれに伴って回転することはない。そして、設定ボタン６１により適切な所定のトルク値を設定し、正回転スイッチ部４１１を再び押すと、自動的に作動部１が第１の方向で回転し、トルク検出装置が検出するトルクが所定のトルク値に達したときに、回路基板３の自動制御により、作動部１の回転が止められ、過度な回転により頭髪が張られ過ぎることを防ぐ。
また、髪にパーマをかけた後、再び、作動部１にカーラー７を接続し、逆回転スイッチ部４１２を押し続けると、作動部１が第２の方向で回転してカーラー７が縮小し、カーラー７から頭髪を取り外すことができるようになる。製造メーカーは、様々なヘアスタイルに応じて多段式トルクを選択することができる上、使用者は、美容経験が無くとも、使用説明書に基づいてトルクの大きさを自ら調整することができる。
【００１６】
上述の構造によると、使用者は、頭髪の健康状態又は実際に必要に応じて適合する所定のトルク値を設定することができる。例えば、頭髪が既に非常に傷んで弱くなっており、張られ過ぎることを防ぐ場合、低めの所定のトルク値を設定する。もし、頭髪が健康で顕著な巻髪効果を得たい場合、高めの所定トルク値を設定する。
本発明は、使用者が正回転スイッチ部を１回押すと、自動的に所定のトルク値に達するまで回転し、使用者自らが現在のトルクに注意を払って手動で止める必要はなく、張り過ぎて頭髪が切れて傷めることを防ぐ。また、操作が非常に簡単なため、専門家でなくともスピーディーかつ上手に自ら操作することもでき、様々なサイズのカーラーに応じて調整ブロックの外スリーブ部材を使用することができるため、利便性が高くて進歩性を備える。
【００１７】
以上述べたことは、単なる本発明の好適な実施例であり、本発明の範囲はこれだけに限定されるわけではない。
【符号の説明】
【００１８】
１      作動部
２      駆動装置
３      回路基板
４      制御部
５      トルク表示装置
６      トルク設定部
７      カーラー
８      外スリーブ部材
９      位置決め部材
４１    片切スイッチ
５１    ＬＥＤ光源
６１    設定ボタン
６２    表示装置
７１    ケーシング片
７２    押圧部材
７３    弾性リング
８１    挟持片
８２    調整ブロック
４１１  正回転スイッチ部
４１２  逆回転スイッチ部
７１１  錘状空間
【図１】
0006263646.tif 000002
【図２】
0006263646.tif 000003
【図３】
0006263646.tif 000004
【図４】
0006263646.tif 000005
【図５】
0006263646.tif 000006
【図６】
0006263646.tif 000007